(57)【要約】【課題】  汚れが生地の隙間に入り込むのを防止して汚れを容易に除去することができるベスト型身体装着体の提供。【解決手段】  ベスト本体１の前身ごろ３，４にポケット２５を備え、ポケット２５は、前身ごろ３，４の外皮１５Ａに外皮１５Ａから立上げるようにして立上げ生地２６が固定されることで所定の大きさの収納空間２７を有するよう構成され、ポケット２５の立上げ生地２６の表面に合成樹脂層３４が固着されている。【選択図】  図３
2006188789.tif 000002
【特許請求の範囲】
【請求項１】
ベスト本体の前身ごろにポケットを備え、該ポケットは、前身ごろの外皮に該外皮から立上げるようにして立上げ生地が固定されることで所定の大きさの収納空間を有するよう構成されたベスト型身体装着体において、
前記ポケットの立上げ生地の表面に合成樹脂層が固着されていることを特徴とするベスト型身体装着体。
【請求項２】
外皮の表面の少なくとも立上げ生地が固定される領域に合成樹脂層が固着されていることを特徴とする請求項１記載のベスト型身体装着体。
【請求項３】
ポケットの立上げ生地は縫着部を介して外皮に固定され、前記縫着部は、外皮の表面に当てられる当て地と該当て地に折曲げて重ねられる重ね地とを備え、重ね地は前記ポケットの立上げ生地から収納空間に対して外方側に延長されるよう立上げ生地に連設され、当て地に重ね地が重ねられて外皮に縫着されていることを特徴とする請求項２記載のベスト型身体装着体。
【請求項４】
ベスト本体の外皮に浮力材が内装されていることを特徴とする請求項１乃至請求項３の何れかに記載のベスト型身体装着体。
【発明の詳細な説明】
【技術分野】
【０００１】
本発明は、磯釣りなどに着用されるベスト型身体装着体に関する。
【背景技術】
【０００２】
一般に、磯釣りなどに着用されるベスト型身体装着体（以下「ベスト」という）は、前身ごろの外皮に釣糸などの小道具を収納するポケットを備えている（例えば特許文献１）。磯釣りでは釣人は釣場を移動することが多いから、釣糸などの小道具はまとめて身に付けることが好ましい。したがってこのようなポケットは所定の容量が必要になる。このためポケットは、単に前身ごろに平面的に縫着されるのではなく、外皮から立上げるようにして縫着される部分を有することで所定の容量を確保するよう設けられる。ところで一般に、雨天での釣行のことを考慮してベストの外皮には撥水剤が施されている。
【特許文献１】特開２００１−２０１１０号公報
【発明の開示】
【発明が解決しようとする課題】
【０００３】
磯釣りなどでは釣人は頻繁に餌（例えば寄せ餌としてのオキアミ）を撒く。さらに、潮風に吹かれたり釣魚を扱ったりすることから外皮が汚れ易い。特に、ポケットにおいて外皮から立上げるようにして縫着される部分は外皮に対して段が付く恰好になるので、この部分は汚れが付着し易い領域となっている。ところで、上記のようにベストには撥水剤が施されるが、撥水剤は外皮を構成する繊維間を埋めるものではないため外皮の繊維間には隙間がある。したがって、付着した汚れはこの隙間に入り込み易く、そうなると汚れを除去することが難しくなってしまう。
【０００４】
そこで、本発明は上記課題に鑑み、汚れが生地の隙間に入り込むのを防止して汚れを容易に除去することができるベスト型身体装着体の提供を課題とする。
【課題を解決するための手段】
【０００５】
本発明は、前身ごろにポケットを備え、該ポケットは、前身ごろの外皮に該外皮から立上げるようにして立上げ生地が固定されることで所定の大きさの収納空間を有するよう構成されたベスト型身体装着体において、前記ポケットの立上げ生地の表面に合成樹脂層が固着されていることを特徴としている。
【０００６】
上記構成によれば、立上げ生地が外皮に対して突出することで段付き部分を形成し汚れ易い部分となっていても、汚れは立上げ生地の表面の合成樹脂層に付着するだけであり、しかもこの合成樹脂層によって立上げ生地の繊維間に汚れが入り込むことを防止しており、且つ合成樹脂層の表面は滑面であるから、合成樹脂層に付着した汚れを簡単に除去することができる。
【０００７】
また、外皮の表面の少なくとも立上げ生地が固定される領域に合成樹脂層が固着されていることが好ましい。
【０００８】
上記構成において、立上げ生地が固定される領域は立上げ生地に近い部分であるから汚れが付着し易いが、合成樹脂層によって外皮の繊維間に汚れが入り込むことを防止しており、且つ合成樹脂層の表面は滑面であるから、合成樹脂層に付着した汚れを簡単に除去することができる。
【０００９】
また、ポケットの立上げ生地は縫着部を介して外皮に固定され、前記縫着部は、外皮の表面に当てられる当て地と該当て地に折曲げて重ねられる重ね地とを備え、重ね地は前記ポケットの立上げ生地から収納空間に対して外方側に延長されるよう立上げ生地に連設されていることが好ましい。
【００１０】
上記構成において、立上げ生地に付着した汚れを除去する際に、除去した汚れが重ね地によって外皮側へ移ることを防止できるから、外皮が汚れることを防止することができる。
【００１１】
さらに、ベスト本体の外皮に浮力材が内装されていることが好ましい。この構成によれば、ベスト型身体装着体を装着した人体を水面に浮かせることができる。
【発明の効果】
【００１２】
本発明によれば、合成樹脂層によって立上げ生地の繊維間に汚れが入り込むことを防止しており、且つ合成樹脂層の表面は滑面であるから、合成樹脂層に付着した汚れを簡単に除去することができる。
【発明を実施するための最良の形態】
【００１３】
以下、本発明の実施形態に係る浮力材を有するベストとして魚釣り用フローティングベスト（以下単に「ベスト」という）を例に図面に基づいて説明する。図１は本発明の実施形態を示すベストの前側からの全体概略斜視図、図２はベストの後ろ側からの全体概略斜視図、図３は図１におけるＡ−Ａ線断面図、図４は図３の縫着部の拡大断面図、図５はポケット部分の拡大側面断面図、図６は前身ごろ部分の底面図、図７は後ろ身ごろの全体平面断面図である。
【００１４】
図１および図２に示すように、ベスト１は、ベスト本体２と、固形式の前浮力材１６，１７と、固形式の後ろ浮力材１８とを有する。ベスト本体２は左右の前身ごろ３，４、左右の前身ごろ３，４と後ろ身ごろ５をそれぞれ縫着により一体にする左右の側部７，８、および左右の前身ごろ３，４と後ろ身ごろ５とをそれぞれ一体にする肩部１０，１１を有する。前身ごろ３，４、側部７，８、および後ろ身ごろ５の左右両側縁の開放部分が釣人Ｈが腕を通す脇部１Ａとされている。なお、図示しないが左右の前身ごろ３，４には、ベスト１の着用時にはこれらを互いにフリーにし、着用後は一体化するバックルやファスナなどの取付け具が取付けられている。また、前浮力材１６，１７は、それぞれ左右の前身ごろ３，４の外皮１５Ａに内装され、後ろ浮力材１８は後ろ身ごろ５の外皮１５Ｂに、それぞれ余裕をもって内装されている。
【００１５】
左右の前身ごろ３，４の外皮１５Ａおよび後ろ身ごろ５の外皮１５Ｂを形成するベース基材として、ポリエステルまたはナイロン等の織物または編物が用いられている。図３および図４に示すように、左右の前身ごろ３，４の外皮１５Ａは表地１３と裏地２１とを有し、表地１３と裏地２１とは両側部および下端部で縫着されている。
【００１６】
図７に示すように、後ろ身ごろ５の外皮１５Ｂは表地１４と裏地２２とを有し、表地１４と裏地２２とはこれらを両側部および下端部で縫着されている。この縫着部分１ａは、内側（人体側）寄りに位置している。
【００１７】
左右の前身ごろ３，４の下部にポケット２５が縫着により固定されている。該ポケット２５は、前身ごろ３，４の外皮１５Ａに該外皮１５Ａから立上げるようにして立上げ生地２６が固着されることで所定の大きさの収納空間２７を有するよう構成されている。立上げ生地２６は上下枠部２８，２９、左右枠部３０，３１から矩形の枠状に形成され、立上げ生地２６の前面に前面生地３２が連設（一体形成）されている。
【００１８】
立上げ生地２６および前面生地３２を形成するベース基材としてポリエステルまたはナイロン等の織物または編物が用いられている。ポケット２５それぞれにおいては、立上げ生地２６の上枠部２８から左右枠部３０，３１のほぼ下端部に亙ってポケット開閉用のスライドファスナ３３が縫着されている。すなわちポケット２５それぞれにおいては、上枠部２８と左右枠部３０，３１とはスライドファスナ３３の縫着生地３３ａの後ろ端辺３３ｂを、上枠部２８を折曲げた折曲げ部２８ａに重ねて縫着し、スライドファスナ３３の縫着生地３３ａの前端辺３３ｃを上枠部２８の前部に縫着して固定している。このようにポケット２５は、立上げ生地２６と、スライドファスナ３３と、前面生地３２を有する。
【００１９】
前記ポケット２５の立上げ生地２６および前面生地３２、並びに前身ごろ３，４の外皮１５Ａの表地１３、後ろ身ごろ５の外皮１５Ｂの表地１３の表面に、ポリウレタンまたは塩化ビニル等からなる合成樹脂層３４，３５，３６が、ラミネートまたはコーティングにより固着されている。前記縫着部分１ａが内側寄りに位置しているのは、ベスト１の外側の方が内側に比べて汚れ易いからであり、この汚れ易い部分に合成樹脂層３４，３５，３６を設けているのである。尚、図において符号５０は引張強度の大きな帯体であり、これはベスト１の外皮１５Ａ，１５Ｂに丈方向全域に渡って縫着されている。このように長い帯体５０を設けることで縫い付け強度を確保して、釣人Ｈが海上に投げ出された際に、例えば肩部１０，１１を把持して確実に釣人Ｈを救助できるようにしている。このような帯体５０はポケット２５を丈方向に貫通している。
【００２０】
次に図３乃至図５に基づいて、ポケット２５を外皮１５Ａの表地１３に縫着して固定するための縫着部４０の構造を説明する。該縫着部４０は、外皮１５Ａの表面に当てられる当て地４１と、該当て地４１に折曲げて重ねられる重ね地４２とを備えている。重ね地４２はポケット２５の立上げ生地２６から前記収納空間２７に対して外方側Ｂに延長されるよう立上げ生地２６に連設されている。ここで、外方側Ｂとは左右側方外方のみではなく、上下側方のうち少なくとも上方外方を含む概念である。
【００２１】
当て地４１は、正面視してポケット２５の立上げ生地２６沿う略矩形に形成されている。重ね地４２も同様に正面視して略矩形に形成されている。そして、当て地４１に重ね地４２が重ねられて、ポケット２５の立上げ生地２６から収納空間２７に対して外方側Ｂに突出した折重ね突出部４４が外皮１５Ａに縫着（符号４５で示す）されている。
【００２２】
上記構成を有するベスト１は、主として磯釣りにおいて釣人Ｈに着用されるものである。このような磯釣り場では、磯釣りでは釣人Ｈは釣場（ポイント）を移動することが多いから、釣糸などの小道具はまとめて身に付けることが好ましい。このような小道具は主としてポケット２５に収納される。したがってポケット２５は所定の容量が必要になるが、この実施形態では、ポケット２５は、外皮１５Ａから立上げるようにして設けられる立上げ生地２６を有しているから、小道具を収納するのに充分な大きさの収納空間２７を確保している。
【００２３】
ところで、磯釣りでは釣人は頻繁に餌（例えば寄せ餌としてのオキアミ）を撒く。さらに、潮風に吹かれたり釣魚を扱ったりすることから外皮１５Ａは汚れ易い。特に、ポケット２５において外皮１５Ａから立上げるようにして設けられる上枠部２８（立上げ生地２６）は外皮１５Ａに対して段が付く恰好になっているので、この部分は汚れが付着し易い領域となっている。
【００２４】
しかし、ポケット２５の立上げ生地２６には、合成樹脂層３４が固着されており、立上げ生地２６を形成する繊維間に汚れが浸透する状態を防止している。このため、ポケット２５の立上げ生地２６に汚れが付着したとしても、例えば濡れタオルなどを用いて拭うことで、汚れが合成樹脂層３４の表面である滑面を滑るようになって容易に汚れを除去することができる。このことは、外皮１５Ａに付着した汚れについても同様である。また、合成樹脂層３４，３５，３６によって保護されることで汚れが外皮１５Ａに浸透することも防止できる。
【００２５】
さらに、立上げ生地２６に付着した汚れを拭うとき、立上げ生地２６と外皮１５Ａとは、収納空間２７に対して外方側Ｂに延長されている縫着部４０によってガードされている恰好になっているので、汚れが外皮１５Ａに到達しにくい。このため、立上げ生地２６の汚れを拭うときでも外皮１５Ａが汚れにくい。
【００２６】
本発明のベスト１は、上記実施形態に限定されるものではなく、本発明の要旨を逸脱しない範囲内において種々変更を加え得ることは勿論である。例えば立上げ生地２６は外皮１５Ａに対して縫着部４０を介して固定したがこれに限定されず、強度的に問題がなければ例えば立上げ生地２６を外皮１５Ａに融着によって固定することも考えられる。
【００２７】
また、上記実施形態では、ポケット２５は前身ごろ３，４にそれぞれ一個ずつ設けたがこれに限定されず、ポケット２５と同様の構成のポケットを前身ごろ３，４に複数個設け、縫着部４０を介して縫着するようにすることも考えられる。
【図面の簡単な説明】
【００２８】
【図１】本発明の実施形態を示すベストの前側からの全体概略斜視図。
【図２】同じくベストの後ろ側からの全体概略斜視図。
【図３】同じく図１におけるＡ−Ａ線断面図。
【図４】同じくポケットの部分拡大側面断面図。
【図５】同じく縫着部の部分拡大平面断面図。
【図６】同じく右前身ごろ部分の底面図。
【図７】同じく後ろ身ごろの平面断面図。
【符号の説明】
【００２９】
１…ベスト、２…ベスト本体、１６，１７…前浮力材、１８…後ろ浮力材、３，４…前身ごろ、５…後ろ身ごろ、１３…表地、１５Ａ，１５Ｂ…外皮、２１…裏地、２５…ポケット、２６…立上げ生地、２７…収納空間、２８，２９…上下枠部、３０，３１…左右枠部、３２…前面生地、３３…スライドファスナ、３３ａ…縫着生地、３３ｂ…後ろ端辺、２８ａ…折曲げ部、３４，３５，３６…合成樹脂層、４０…縫着部、４１…当て地、４２…重ね地
【図１】
2006188789.tif 000003
【図２】
2006188789.tif 000004
【図３】
2006188789.tif 000005
【図４】
2006188789.tif 000006
【図５】
2006188789.tif 000007
【図６】
2006188789.tif 000008
【図７】
2006188789.tif 000009